(57)【要約】 【課題】  蒸発器の取付位置が多少ずれても、支柱を容易に、かつ確実に固定することができるオープンショーケースを提供すること。【解決手段】  オープンショーケースの商品収納部３を形成する内箱の後壁が、左右方向に並設した背面板１４，１４と、これら背面板１４，１４を接続する上下方向に延びる支柱１６から成り、支柱１６の上部が外ケースの上部から前方に延設した取付部材となる上部支持具に固定され、その下部が蒸発器の下方に取付けた取付具２０の係合突片２５ａ，２５ｂに遊着されるよう構成することで、蒸発器の取付位置が多少ずれたり、傾斜しても支柱１６を固定することができ、組付け作業に多大な時間を要することがない。【選択図】  図５
2005273993.tif 000002
【特許請求の範囲】
【請求項１】
外箱と内箱により構成されたケース本体内に前面が開口した貯蔵室を形成し、外箱と内箱との間に形成される通風路内に蒸発器及び送風機を配置し、前記開口の上部に設けた冷気吹出し口から下方に設けた冷気吸込み口に向けて吹き出される冷気でエアーカーテンを形成して前記貯蔵室を冷却してなるオープンショーケースであって、前記内箱の後壁は、左右方向に並設した背面板と、該背面板を接続する上下方向に延びる支柱からなり、前記支柱の上部は外箱から延設した取付部材に固定され、その下部は前記蒸発器に取付けた取付具に遊着されていることを特徴とするオープンショーケース。
【請求項２】
前記取付具は上方を向く一対の係合突片で構成され、支柱下部は前記係合突片に上方から差込み嵌合させたものである請求項１に記載のオープンショーケース。
【請求項３】
前記蒸発器の取付具には除霜ヒータを支持するに支持金具が形成されている請求項１または２に記載のオープンショーケース。
【請求項４】
前記背面板の少なくとも支柱との接続側は折曲片で構成されている請求項１ないし３のいずれかに記載のオープンショーケース。
【発明の詳細な説明】
【技術分野】
【０００１】
本発明は、外箱と内箱により構成されたケース本体内に前面が開口した貯蔵室を形成し、外箱と内箱との間に形成される通風路内に蒸発器及び送風機を配置し、前記開口の上部に設けた冷気吹出し口から下方に設けた冷気吸込み口に向けて吹き出される冷気でエアーカーテンを形成して前記貯蔵室を冷却してなるオープンショーケースに関する。
【背景技術】
【０００２】
外箱と内箱との間に形成される通風路内に蒸発器及び送風機を配置した従来のオープンショーケースにおいて、内箱の後壁を背板と支柱で構成したものは既に知られている（特許文献１、２参照）。図６は、このような従来のオープンショーケースの概略斜視図を示したもので、オープンショーケース０１は複数の棚板０２と、これら棚板０２を支持する支柱０３と、支柱間に配置した背板０４とを備えている。そして、支柱０３は、図示していないが、上部を外箱から延設した取付具に固定し、下部を通風路内に配置した蒸発器の一部に固定していた。
【０００３】
【特許文献１】特許第２６３２１４５号明細書（第１図）。
【特許文献２】特開２００２−２２３９０４号公報（第１図）。
【発明の開示】
【発明が解決しようとする課題】
【０００４】
しかしながら、図６に記載の従来の支柱の固定方法であると、蒸発器の取付位置が少しでもずれたり、傾斜したりすると、支柱下部の取付が困難となり、取付現場における組付け作業に多大な時間と手間を要した。
【０００５】
本発明は、このような問題点に着目してなされたもので、蒸発器の取付位置が多少ずれても、支柱を容易に、かつ確実に固定することができるオープンショーケースを提供することを目的とする。
【課題を解決するための手段】
【０００６】
上記の目的を解決するために、本発明の請求項１に記載のオープンショーケースは、外箱と内箱により構成されたケース本体内に前面が開口した貯蔵室を形成し、外箱と内箱との間に形成される通風路内に蒸発器及び送風機を配置し、前記開口の上部に設けた冷気吹出し口から下方に設けた冷気吸込み口に向けて吹き出される冷気でエアーカーテンを形成して前記貯蔵室を冷却してなるオープンショーケースであって、前記内箱の後壁は、左右方向に並設した背面板と、該背面板を接続する上下方向に延びる支柱からなり、前記支柱の上部は外箱から延設した取付部材に固定され、その下部は前記蒸発器に取付けた取付具に遊着されていることを特徴としている。
この特徴によれば、支柱下部が蒸発器の取付具に遊着されているので、蒸発器の取付位置が多少ずれたり、傾斜しても支柱を固定することができ、組付け作業に多大な時間を要することがない。
【０００７】
本発明の請求項２に記載のオープンショーケースは、請求項１に記載のオープンショーケースであって、前記取付具は上方を向く一対の係合突片で構成され、支柱下部は前記係合突片に上方から差込み嵌合させたものであることを特徴としている。
この特徴によれば、支柱下部を差込み嵌合して支柱上部を固定すれば、支柱の移動は拘束されるので、支柱の組付け作業が楽に行える。
【０００８】
本発明の請求項３に記載のオープンショーケースは、請求項１または２に記載のオープンショーケースあって、前記蒸発器の取付具には除霜ヒータを支持する支持金具が形成されていることを特徴としている。
この特徴によれば、蒸発器の取付具を利用して除霜ヒータを支持させることができるので、除霜ヒータ取付のための部品を新たに設ける必要はない。
【０００９】
本発明の請求項４に記載のオープンショーケースは、請求項１ないし３のいずれかに記載のオープンショーケースであって、前記背面板の少なくとも支柱との接続側は折曲片で構成されていることを特徴としている。
この特徴によれば、折曲片を利用して支柱に対し背面板を確実に取付固定することができる。
【発明を実施するための最良の形態】
【００１０】
本発明の実施例を以下に説明する。
【実施例】
【００１１】
図１〜図５は、本発明の一実施形態を示すもので、図１は本発明に係るオープンショーケースを示す断面図、図２は図１のＡ部拡大図、図３は図２のＢ−Ｂ断面図、図４は図２のＣ−Ｃ断面図、図５は支柱の下部が蒸発器の取付具に遊着される状態を示す部分斜視図である。
【００１２】
図１に示されるオープンショーケース１は、箱形の断熱壁よりなる外箱を形成する外ケース４ａ〜４ｄの内方に内箱として形成される内ケース２ａ〜２ｃを、所要の間隔を設けて配設し、内ケース２ａ〜２ｃにより囲まれた内部空間を上面ないし前面が開放された貯蔵室となる商品収納部３として、この中に青果物等が陳列されるようになっている。
【００１３】
そして、オープンショーケース１は、商品収納部３を構成する内ケース２ａ〜２ｃと、その外側に配設される外ケース４ａ〜４ｄとの間には通風路となる冷気循環経路７ａ，７ｂ，７ｃが配設されている。
【００１４】
上記のように構成された冷気循環経路７ａ内の送風機５を駆動させることにより、蒸発器６を通過して冷却された冷気は、ショーケース１上部の冷気吹出口８より吐出し商品収納部３前面の内外ケース前端上部の冷気吸込口１０から吸引して図中破線で示される矢印方向に循環させることにより、ショーケース１の開放面にエアーカーテンを形成して商品収納部３内の冷凍食品や生鮮食料品等が所定温度に保冷できるようになっている。
【００１５】
また、商品収納部３下方の各種商品が載置される内ケース２ａを構成するベース棚板の下部の冷却循環通路を構成するための外ケース４ａ、４ｂには、内方に向けて下方傾斜している底パネル１２ａと、前方に向けて緩く下方傾斜している底パネル１２ｂが設けられている。この底パネル１２ａ、１２ｂの谷部には、蒸発器６の除霜時における解凍された水または堆積したゴミ類を排出する排水口Ｄが設けられており、冷気吸込口１０は、ショーケース１前面下方の左右方向に延設する外ケース４ａと内ケース２ａ間に設けられている。
【００１６】
更に詳しくは、図２、図４に示すように内箱の内ケース２ｂを構成する後壁は、左右方向に並設した一対の背面板１４，１４と、これら両背面板１４，１４を接続する断面略Ｃ字形の連結部材１５と、連結部材１５の内部に収容されて上下方向に延びる支柱１６と、蒸発器６の前面側に取付けたコイルカバー２８で構成されている。
【００１７】
支柱１６の上部は、図１に示すように外箱の一部を形成する外ケース４ｃの上部から前方に延設した取付部材となる上部支持具１８に固定され、その下部は図２、図３に示すように蒸発器６の下方前面に固定された取付具２０に遊着されている。
【００１８】
支柱１６は、図４に示すように一対の断面略コ字型部材を背中合せに溶接接合して構成されたもので、それらの前面板Ｆ１，Ｆ２には棚板用のブラケット取付け部を挿通係合する複数の縦長係合孔Ｈが縦方向に列設され、前面板Ｆ１，Ｆ２の両側には後方に折り返された折り曲げ片Ｇ１，Ｇ２が形成されると共に後端側には左右方向に延びる幅広の支持片Ｌ１，Ｌ２が折曲形成されている。
【００１９】
蒸発器６中央の縦枠を構成するセンターフレーム２２は、図２、図４、図５に示すようにその後方に形成された折曲片２２ａが外箱を形成する外ケース４ｃの内側に縦方向に取付けられており、前方に延設した端部に形成された折曲片２２ｂ下方の取付面には取付具２０が取付けられている。
【００２０】
この取付具２０は、図５に全体斜視図が示されており、帯板状の縦長片２４の上部には突出片２５が前方に向けて水平に折曲形成されてその両側には上方に向く一対の係合突片２５ａ，２５ｂが形成されており、縦長片２４の下部には、除霜ヒータの水平配管ＨＰを支持すべく支持金具を構成するＵ字形の係合部２６が形成されている。
【００２１】
取付具２０の突出片２５上面には、図２、図３に示すようにコイルカバー２８の下方に前方に向けて水平に折曲した水平面２８ａが支持されており、突出片２５両側の一対の係合突片２５ａ，２５ｂは水平面２８ａに形成された一対の貫通長孔３０ａ，３０ｂを通して上面に突出している。
【００２２】
次に、前述した支柱の取付け手順に付き図５を参照して説明する。
【００２３】
先ず、連結部材１５の内部に支柱１６を収容して、この支柱１６の下端を図５に示されるコイルカバー２８下方の水平面２８ａ上面に一対の貫通長孔３０ａ，３０ｂを通して突出した取付具２０の係合突片２５ａ，２５ｂに遊着する。
【００２４】
詳しくは、図３、図４に示すように支柱１６の下端は、係合突片２５ａ，２５ｂの両外側面に両折り曲げ片Ｇ１，Ｇ２の内側が上方から差し込まれると共に、係合突片２５ａ，２５ｂの前後が前面板Ｆ１，Ｆ２裏面と支持片Ｌ１，Ｌ２前面の間に差し込まれ嵌合した状態で遊着される。
【００２５】
次に、支柱１６の上端が、図１に示すように連結部材１５と共にコイルカバー２８を介して上部支持具１８に固定される。その後、支柱１６を収容している連結部材１５の前面両側に一対の背面板１４，１４が接続され、内ケース２ｂを構成する後壁の組立が完了する。
【００２６】
また、支柱１６の下端を移動不能に支持する取付具２０は、その下部にＵ字形の係合部２６が形成され、この係合部２６に除霜ヒータの水平配管ＨＰを支持することができる。
【００２７】
このように構成されたオープンショーケースによれば、支柱１６の下部が蒸発器６のセンターフレーム２２に取付けられた取付具２０の係合突片２５ａ，２５ｂに遊着されているので、蒸発器６の取付位置が多少ずれたり、傾斜しても支柱１６を固定することができ、組付け作業に多大な時間を要することがない。
【００２８】
また、支柱１６の下部は、係合突片２５ａ，２５ｂに上方から差込み嵌合により支持されるので、このまま支柱１６の上部を固定するだけで、支柱１６の移動が拘束されるので、支柱１６の組付け作業が楽に行える。
【００２９】
さらに、取付具２０には除霜ヒータの水平配管ＨＰを支持するＵ字形の係合部２６が一体的に折曲形成されているので、除霜ヒータの水平配管ＨＰを取付るための部品を新たに設ける必要はない。
【００３０】
そして、支柱１６の両側には、この支柱１６の両側には連結部材１５の折曲片１５ａ，１５ｂが近接配置され、一対の背面板１４，１４の支柱１６との接続側は折曲片１４ａが形成されているので、これら折曲片１５ａ，１５ｂ，１４ａを利用して支柱１６に対し背面板１４，１４を確実に取付固定することができる。
【００３１】
以上、本発明の実施例を図面により説明してきたが、具体的な構成はこれら実施例に限られるものではなく、例えば、実施例において、支柱を一対の断面略コ字型部材を背中合せに溶接接合したもので説明したが、中空の角柱であってもよい。また、オープンショーケースが大型である場合は、支柱の数を複数本立設させてケース本体を構築することは言うまでもない。
【００３２】
また、実施例において、支柱の下部を一対の係合突片を有する取付具に遊着させた例で説明したが、一対の係合突片に限らず、支柱の下端を隙間をもって嵌合できる構造であれば如何なる構造の取付具であってもよい。
【図面の簡単な説明】
【００３３】
【図１】本発明に係るオープンショーケースを示す断面図である。
【図２】図１のＡ部拡大図である。
【図３】図２のＢ−Ｂ断面図である。
【図４】図２のＣ−Ｃ断面図である。
【図５】支柱の下部が蒸発器の取付具に遊着される状態を示す部分斜視図である。
【図６】従来のオープンショーケースの概略斜視図である。
【符号の説明】
【００３４】
１                  オープンショーケース
２ａ〜２ｃ          内ケース
３                  商品収納部（貯蔵室）
４ａ〜４ｄ          外ケース
５                  送風機
６                  蒸発器
７ａ，７ｂ，７ｃ    冷気循環経路
８                  冷気吹出口
１０                冷気吸込口
１２ａ，１２ｂ      底パネル
１４                背面板
１４ａ              折曲片
１５                連結部材
１５ａ，１５ｂ      折曲片
１６                支柱
１８                支持具
２０                取付具
２２                センターフレーム
２２ａ，２２ｂ      折曲片
２４                縦長片
２５                突出片
２５ａ，２５ｂ      係合突片
２６                係合部（支持金具）
２８                コイルカバー
２８ａ              水平面
３０ａ，３０ｂ      貫通長孔
Ｄ                  排水口
Ｆ１，Ｆ２          前面板
Ｇ１，Ｇ２          折り曲げ片
Ｈ                  縦長係合孔
ＨＰ                水平配管
Ｌ１，Ｌ２          支持片
【図１】
2005273993.tif 000003
【図２】
2005273993.tif 000004
【図３】
2005273993.tif 000005
【図４】
2005273993.tif 000006
【図５】
2005273993.tif 000007
【図６】
2005273993.tif 000008